(57)【要約】【課題】  使用者が意識して検索行為を実施しなくとも、情報を入手することが可能な携帯端末を提供する。【解決手段】  携帯端末（１）は、会話情報の音声認識を行う音声認識エンジン（音声情報送受信部１４及び音声認識エンジン部１５）と、音声認識エンジンによる音声認識結果と予め登録されたキーワード情報とを照合する手段（ＣＰＵ１１）と、その照合で一致が検出されたキーワード情報を検索サーバに送信して情報検索を行う手段（アンテナ・無線部１２及びモデム部１３）とを有する。【選択図】      図１
2010277207.tif 000002
【特許請求の範囲】
【請求項１】
会話情報の音声認識を行う音声認識エンジンと、
前記音声認識エンジンによる音声認識結果と予め登録されたキーワード情報とを照合する手段と、
その照合で一致が検出されたキーワード情報を検索サーバに送信して情報検索を行う手段とを有することを特徴とする携帯端末。
【請求項２】
前記音声認識エンジンにて音声認識の対象となる単語情報を蓄積する蓄積手段を含み、
前記音声認識の結果と前記蓄積手段に蓄積された単語情報とを照合し、一致が検出されたキーワード情報を前記検索サーバに送信することを特徴とする請求項１記載の携帯端末。
【請求項３】
少なくとも使用者の年齢、性別、地域、興味分野を含む個人属性情報を予め前記検索サーバに登録し、前記検索サーバから単語情報をダウンロードして前記蓄積手段に登録することを特徴とする請求項２記載の携帯端末。
【請求項４】
前記単語情報は、前記検索サーバに蓄積されかつ提携企業サーバからのマッチング情報サービスを提供するための音声認識キーワードであることを特徴とする請求項３記載の携帯端末。
【請求項５】
前記マッチング情報サービスを利用する場合に、前記マッチング情報サービス提供元の提携企業により自端末の通信料金の一部を負担されることを特徴とする請求項４記載の携帯端末。
【請求項６】
音声会話において、当該音声会話の音声認識結果が前記提携企業サーバに準備された音声認識キーワードと一致した場合に当該音声認識キーワードに対応する情報を前記携帯端末に提供することを特徴とする請求項４または請求項５記載の携帯端末。
【請求項７】
前記検索サーバに蓄積された前記音声認識キーワードを閲覧自在としたことを特徴とする請求項４から請求項６のいずれか記載の携帯端末。
【請求項８】
前記検索サーバに蓄積された前記音声認識キーワードを選別自在としたことを特徴とする請求項４から請求項７のいずれか記載の携帯端末。
【請求項９】
前記会話情報の音声認識結果に基づいた前記検索サーバの情報検索結果を表示する手段を含み、音声会話中に前記情報検索結果の閲覧を自在としたことを特徴とする請求項１から請求項８のいずれか記載の携帯端末。
【請求項１０】
前記キーワード情報の前記検索サーバへの送信の有無を確認自在としたことを特徴とする請求項１から請求項９のいずれか記載の携帯端末。
【請求項１１】
前記キーワード情報の前記検索サーバへの送信前に当該キーワード情報を確認自在としたことを特徴とする請求項１から請求項１０のいずれか記載の携帯端末。
【請求項１２】
前記キーワード情報の前記検索サーバへの送信前に当該キーワード情報を確認し、その確認結果に応じて前記キーワード情報の送信を抑止することを特徴とする請求項１１記載の携帯端末。
【請求項１３】
前記キーワード情報の前記検索サーバへの送信前に当該キーワード情報を確認し、その確認結果に応じて前記キーワード情報を変更して送信することを特徴とする請求項１１記載の携帯端末。
【請求項１４】
会話情報の音声認識を行う音声認識エンジンと、
前記音声認識エンジンによる音声認識結果と予め登録されたキーワード情報とを照合する手段と、
その照合で一致が検出されたキーワード情報を検索サーバに送信して情報検索を行う手段と
を含む携帯端末を有することを特徴とする検索エンジンシステム。
【請求項１５】
前記携帯端末は、前記音声認識エンジンにて音声認識の対象となる単語情報を蓄積する蓄積手段を含み、
前記携帯端末が、前記音声認識の結果と前記蓄積手段に蓄積された単語情報とを照合し、一致が検出されたキーワード情報を前記検索サーバに送信することを特徴とする請求項１４記載の検索エンジンシステム。
【請求項１６】
前記携帯端末が、少なくとも使用者の年齢、性別、地域、興味分野を含む個人属性情報を予め前記検索サーバに登録し、前記検索サーバから単語情報をダウンロードして前記蓄積手段に登録することを特徴とする請求項１５記載の検索エンジンシステム。
【請求項１７】
前記単語情報は、前記検索サーバに蓄積されかつ提携企業サーバからのマッチング情報サービスを提供するための音声認識キーワードであることを特徴とする請求項１６記載の検索エンジンシステム。
【請求項１８】
前記検索サーバが、前記検索サーバに登録された前記個人属性情報を前記情報検索結果と関連付けて前記提携企業サーバに送信することを特徴とする請求項１７記載の検索エンジンシステム。
【請求項１９】
前記携帯端末にて前記マッチング情報サービスを利用する場合に、前記マッチング情報サービス提供元の提携企業が当該携帯端末の通信料金の一部を負担することを特徴とする請求項１７または請求項１８記載の検索エンジンシステム。
【請求項２０】
前記携帯端末の音声会話において、当該音声会話の音声認識結果が前記提携企業サーバに準備された音声認識キーワードと一致した場合に当該音声認識キーワードに対応する情報を前記携帯端末に提供することを特徴とする請求項１７から請求項１９のいずれか記載の検索エンジンシステム。
【請求項２１】
前記検索サーバに蓄積された前記音声認識キーワードを前記携帯端末から閲覧自在としたことを特徴とする請求項１７から請求項２０のいずれか記載の検索エンジンシステム。
【請求項２２】
前記検索サーバに蓄積された前記音声認識キーワードを前記携帯端末から選別自在としたことを特徴とする請求項１７から請求項２１のいずれか記載の検索エンジンシステム。
【請求項２３】
前記携帯端末は、前記会話情報の音声認識結果に基づいた前記検索サーバの情報検索結果を表示する手段を含み、
前記携帯端末が、音声会話中に前記情報検索結果の閲覧を自在としたことを特徴とする請求項１４から請求項２２のいずれか記載の検索エンジンシステム。
【請求項２４】
前記キーワード情報の前記検索サーバへの送信の有無を前記携帯端末にて確認自在としたことを特徴とする請求項１４から請求項２３のいずれか記載の検索エンジンシステム。
【請求項２５】
前記キーワード情報の前記検索サーバへの送信前に当該キーワード情報を前記携帯端末にて確認自在としたことを特徴とする請求項１４から請求項２４のいずれか記載の検索エンジンシステム。
【請求項２６】
前記キーワード情報の前記検索サーバへの送信前に当該キーワード情報を前記携帯端末にて確認し、その確認結果に応じて前記キーワード情報の送信を抑止することを特徴とする請求項２５記載の検索エンジンシステム。
【請求項２７】
前記キーワード情報の前記検索サーバへの送信前に当該キーワード情報を前記携帯端末にて確認し、その確認結果に応じて前記キーワード情報を変更して送信することを特徴とする請求項２５記載の検索エンジンシステム。
【請求項２８】
携帯端末が、会話情報の音声認識を行う音声認識処理と、前記音声認識処理による音声認識結果と予め登録されたキーワード情報とを照合する照合処理と、前記照合処理で一致が検出されたキーワード情報を検索サーバに送信して情報検索を行う検索処理とを実行することを特徴とする情報提供サービス方法。
【請求項２９】
前記携帯端末に、前記音声認識エンジンにて音声認識の対象となる単語情報を蓄積する蓄積手段を設け、
前記携帯端末が、前記音声認識の結果と前記蓄積手段に蓄積された単語情報とを照合し、一致が検出されたキーワード情報を前記検索サーバに送信することを特徴とする請求項２８記載の情報提供サービス方法。
【請求項３０】
前記携帯端末が、少なくとも使用者の年齢、性別、地域、興味分野を含む個人属性情報を予め前記検索サーバに登録し、前記検索サーバから単語情報をダウンロードして前記蓄積手段に登録することを特徴とする請求項２９記載の情報提供サービス方法。
【請求項３１】
前記単語情報は、前記検索サーバに蓄積されかつ提携企業サーバからのマッチング情報サービスを提供するための音声認識キーワードであることを特徴とする請求項３０記載の情報提供サービス方法。
【請求項３２】
前記検索サーバが、前記検索サーバに登録された前記個人属性情報を前記情報検索結果と関連付けて前記提携企業サーバに送信することを特徴とする請求項３１記載の情報提供サービス方法。
【請求項３３】
前記携帯端末にて前記マッチング情報サービスを利用する場合に、前記マッチング情報サービス提供元の提携企業が当該携帯端末の通信料金の一部を負担することを特徴とする請求項３１または請求項３２記載の情報提供サービス方法。
【請求項３４】
前記携帯端末の音声会話において、当該音声会話の音声認識結果が前記提携企業サーバに準備された音声認識キーワードと一致した場合に当該音声認識キーワードに対応する情報を前記携帯端末に提供することを特徴とする請求項３１から請求項３３のいずれか記載の情報提供サービス方法。
【請求項３５】
前記検索サーバに蓄積された前記音声認識キーワードを前記携帯端末から閲覧自在としたことを特徴とする請求項３１から請求項３４のいずれか記載の情報提供サービス方法。
【請求項３６】
前記検索サーバに蓄積された前記音声認識キーワードを前記携帯端末から選別自在としたことを特徴とする請求項３１から請求項３５のいずれか記載の情報提供サービス方法。
【請求項３７】
前記携帯端末に、前記会話情報の音声認識結果に基づいた前記検索サーバの情報検索結果を表示する表示手段を設け、
前記携帯端末が、音声会話中に前記情報検索結果の閲覧を自在としたことを特徴とする請求項２８から請求項３６のいずれか記載の情報提供サービス方法。
【請求項３８】
前記キーワード情報の前記検索サーバへの送信の有無を前記携帯端末にて確認自在としたことを特徴とする請求項２８から請求項３７のいずれか記載の情報提供サービス方法。
【請求項３９】
前記キーワード情報の前記検索サーバへの送信前に当該キーワード情報を前記携帯端末にて確認自在としたことを特徴とする請求項２８から請求項３８のいずれか記載の情報提供サービス方法。
【請求項４０】
前記キーワード情報の前記検索サーバへの送信前に当該キーワード情報を前記携帯端末にて確認し、その確認結果に応じて前記キーワード情報の送信を抑止することを特徴とする請求項３９記載の情報提供サービス方法。
【請求項４１】
前記キーワード情報の前記検索サーバへの送信前に当該キーワード情報を前記携帯端末にて確認し、その確認結果に応じて前記キーワード情報を変更して送信することを特徴とする請求項３９記載の情報提供サービス方法。
【発明の詳細な説明】
【技術分野】
【０００１】
本発明は携帯端末、検索エンジンシステム及びそれらに用いる情報提供サービス方法に関し、特に音声認識端末を用いた会話連動型リコメンド情報提供サービス方法に関する。
【背景技術】
【０００２】
本発明に関連する検索システムでは、使用者が検索する内容を意識して、検索キーワードをテキスト入力し、その検索キーワードにて得られた情報野中からいずれかを選択して使用するという工程となっている。
【０００３】
例えば、携帯電話機等による通話者間の会話の中で、情報検索する必要性が発生した場合は、会話を一旦終了（中断）して、その携帯電話端末を使用して必要とする情報を検索するか、別の端末［ＰＣ（Ｐｅｒｓｏｎａｌ  Ｃｏｍｐｕｔｅｒ）等］を使用して情報検索するという煩わしい工程が必要である。
【０００４】
上記の検索フロー→意思決定のプロセスを図１２に示す。この図１２では、一例として旅行関連で検索フロー→意思決定について示している。以下、図１２を参照して上記の検索フロー→意思決定のプロセスについて説明する。
【０００５】
本発明に関連する検索システムでは、使用者が友人と会話を実施し（図１２の工程Ｓ２１）、そこで大まかな方針を決定し（図１２の工程Ｓ２２）、サーチエンジンにアクセスしてキーワードを入力することで情報を入手する（図１２の工程Ｓ２３〜Ｓ２６）。
【０００６】
上記の検索システムでは、使用者が検索した結果を基に必要な情報を探し出し（図１２の工程Ｓ２７）、再度、友人と協議して旅行先を決定する（図１２の工程Ｓ２８）という煩わしいというプロセスが取られている。
【０００７】
この場合、検索の主体は、あくまでも使用者側であり、使用者が意識して検索行為を実施しない場合は、情報を入手することが不可能である。また、検索エンジンの広告ビジネスは、あくまでも検索サイトを主体的に利用する場合にしか成立せず、会話と連動させることは不可能である。
【０００８】
他の検索システムとしては、下記の特許文献１に記載のシステムがある。この検索システムにおいて、通話音声データ録音機能は、携帯電話通話時の発話音声データと受話音声データとを大容量記憶装置に記憶させる。
【０００９】
音声認識及び単語抽出機能は、発話音声データと受話音声データとの音声認識を行い、単語を抽出し、その抽出した単語を、通話相手や単語の出現頻度、時間、他の関連単語と関連付けて通話関連データベースを構築し、その通話関連データベースを大容量記憶装置に登録する。
【００１０】
候補単語提示機能は、ユーザによる文字入力時に、大容量記憶装置に登録された通話関連データベースを参照して予測変換候補を検索し、その検索された予測変換候補をユーザに提示している。
【先行技術文献】
【特許文献】
【００１１】
【特許文献１】特開２００７−１０８８８１号公報
【発明の概要】
【発明が解決しようとする課題】
【００１２】
上述した本発明に関連する検索システムでは、使用者が検索する内容を意識して、検索キーワードをテキスト入力し、得られた情報の中からいずれかを選択して使用するという煩わしい工程が必要である。この場合、検索の主体は、あくまでも使用者側であり、使用者が意識して検索行為を実施しない場合は、情報を入手することが不可能である。
【００１３】
また、上記の特許文献１に記載のシステムのように、単純な音声認識による単語変換での情報検索では、キーワードを手入力する代替手段として音声入力が行われるだけで、検索内容を意識して検索を実施するという行為自体には違いがない。
【００１４】
さらに、本発明に関連する検索システムでは、企業側が設定したキーワードに対してどれだけのアクセス数があったかのみの情報しか得ることができない。企業側が設定したキーワードに対しては、アンケート調査等で個別情報を得ることも可能であるが、検索キーワードほどの情報量がないという問題もある。さらにまた、音声会話においては、広告ビジネスのチャンスがないという問題もある。
【００１５】
そこで、本発明の目的は上記の問題点を解消し、使用者が意識して検索行為を実施しなくとも、情報を入手することができる携帯端末、検索エンジンシステム及びそれらに用いる情報提供サービス方法を提供することにある。
【課題を解決するための手段】
【００１６】
本発明による携帯端末は、会話情報の音声認識を行う音声認識エンジンと、
前記音声認識エンジンによる音声認識結果と予め登録されたキーワード情報とを照合する手段と、
その照合で一致が検出されたキーワード情報を検索サーバに送信して情報検索を行う手段とを備えている。
【００１７】
本発明による検索エンジンシステムは、会話情報の音声認識を行う音声認識エンジンと、
前記音声認識エンジンによる音声認識結果と予め登録されたキーワード情報とを照合する手段と、
その照合で一致が検出されたキーワード情報を検索サーバに送信して情報検索を行う手段とを具備する携帯端末を備えている。
【００１８】
本発明による情報提供サービス方法は、携帯端末が、会話情報の音声認識を行う音声認識処理と、前記音声認識処理による音声認識結果と予め登録されたキーワード情報とを照合する照合処理と、前記照合処理で一致が検出されたキーワード情報を検索サーバに送信して情報検索を行う検索処理とを実行している。
【発明の効果】
【００１９】
本発明は、上記のような構成及び動作とすることで、使用者が意識して検索行為を実施しなくとも、情報を入手することができるという効果が得られる。
【図面の簡単な説明】
【００２０】
【図１】本発明による携帯端末の構成例を示すブロック図である。
【図２】本発明の第１の実施の形態による携帯端末の構成例を示すブロック図である。
【図３】本発明の第１の実施の形態による検索サーバの構成例を示すブロック図である。
【図４】本発明の第１の実施の形態による検索エンジンシステムの構成例を示すブロック図である。
【図５】本発明の第１の実施の形態による検索エンジンシステムの検索処理を示すシーケンスチャートである。
【図６】本発明の第１の実施の形態による検索エンジンシステムの検索処理を示すシーケンスチャートである。
【図７】本発明の第１の実施の形態による検索フロー→意思決定のプロセスを示す図である。
【図８】本発明の第１の実施の形態で用いる使用者の個人属性の一例を示す図である。
【図９】本発明の第１の実施の形態における検索結果の一例を示す図である。
【図１０】本発明の第２の実施の形態による携帯端末の動作を示すフローチャートである。
【図１１】本発明の第３の実施の形態による検索処理における料金構成の一例を示す図である。
【図１２】本発明に関連する検索フロー→意思決定のプロセスを示す図である。
【図１３】本発明に関連する検索処理における料金構成の一例を示す図である。
【発明を実施するための形態】
【００２１】
次に、本発明の実施の形態について図面を参照して説明する。まず、本発明の検索エンジンシステムの概略について説明する。本発明の検索エンジンシステムは、音声認識エンジンを搭載した携帯端末［携帯電話機やＰＤＡ（Ｐｅｒｓｏｎａｌ  Ｄｉｇｉｔａｌ  Ａｓｓｉｓｔａｎｔ）等のウエアラブル携帯端末］と、検索サーバシステム（サーチエンジン）と、業務提携した企業のサーバとにより、「会話連動型」の情報を提供するマッチングサービスに用いるものである。
【００２２】
これによって、本発明の検索エンジンシステムは、使用者が意識することなく、情報を入手し、これまでの意思決定プロセスを短縮化することが可能となる。また、本発明の検索エンジンシステムでは、音声会話上でも情報を入手することが可能となるため、新たな広告ビジネスの拡大につながる。
【００２３】
上記のマッチングサービスの利用者は、個人属性（年齢・性別・地域・興味分野等）を予め登録し、携帯端末を使用して会話するだけで、特に情報検索する行為を意識することなく、情報を得ることを特徴としている。
【００２４】
本発明の検索エンジンシステムでは、この「会話連動型」の情報提供を実施することで、本発明に関連するインタネット検索時のみではなく、音声会話時でも広告ビジネスのチャンスが増大することも特徴とする。
【００２５】
また、業務提携した企業側は、利用者の個人属性を含めたキーワード情報を得ることが可能であるため、商品やサービス等において新しい訴求を考えることも可能とすることを特徴とする。
【００２６】
図１は本発明による携帯端末の構成例を示すブロック図である。図１において、携帯端末１は、ＣＰＵ（中央処理装置）１１と、アンテナ・無線部１２と、モデム部１３と、音声情報送受信部１４と、音声認識エンジン部１５と、音声認識変換単語情報蓄積部１６とを備えている。
【００２７】
ＣＰＵ１１は、ＲＯＭ（リードオンリメモリ）等に格納されたプログラムにしたがって装置全体のコントロールを行う。アンテナ・無線部１２及びモデム部１３は、図示せぬ携帯電話網を利用して、検索サーバ（図示せず）に接続する手段を提供する。
【００２８】
音声情報送受信部１４は、ハンズフリーやＢｌｕｅｔｏｏｔｈ（登録商標）等に接続する機能を持ち、使用者が表示操作部（図示せず）を見ながら音声会話を行うことを可能としている。
【００２９】
音声認識エンジン部１５は、音声情報送受信部１４における会話情報の音声認識テキスト変換を行う機能（会話情報の音声認識を行い、その結果をテキスト変換する機能）を有する。
【００３０】
音声認識変換単語情報蓄積部１６は、音声認識テキスト変換の対象となるキーワード（単語情報）を蓄積している。携帯端末１のＣＰＵ１１は、会話中にそのキーワードが含まれている場合に、アンテナ・無線部１２を経由して検索サーバに接続し、検出されたキーワードを検索サーバに送信する。尚、音声認識テキスト変換の技術に関しては、周知の技術であるため、ここではその説明を省略する。
【００３１】
本発明による携帯端末１は、使用者の年齢、性別、地域、興味分野等の個人属性情報を予め検索サーバに登録し、検索サーバから音声認識変換キーワード情報をダウンロードして音声認識変換単語情報蓄積部１６に登録する。
【００３２】
本発明による携帯端末１は、アンテナ・無線部１２とモデム部１３と音声情報送受信部１４とを通した通話先との音声会話中に、音声認識変換キーワード情報に該当するキーワードが含まれている場合に音声認識エンジン部１５で音声認識テキスト変換を実施し、テキスト変換したキーワードをアンテナ・無線部１２を経由して検索サーバに送信し、そのキーワードに対応する情報を取得する。
【００３３】
これによって、本発明による携帯端末１では、使用者が意識することなく、音声会話中に含まれるキーワードに対応する情報を入手することができる。よって、本発明による携帯端末１では、その携帯端末を使用して必要とする情報を検索したり、別の端末を使用して情報検索する必要がなくなるので、これまでの意思決定プロセスを短縮化することが可能となる。
【００３４】
図２は本発明の第１の実施の形態による携帯端末の構成例を示すブロック図である。図２において、携帯端末１は、ＣＰＵ１１と、アンテナ・無線部１２と、モデム部１３と、音声情報送受信部１４と、音声認識エンジン部１５と、音声認識変換単語情報蓄積部１６と、表示操作部１７と、ＲＯＭ１８と、ＲＡＭ（ランダムアクセスメモリ）１９とを備えている。
【００３５】
ＣＰＵ１１、アンテナ・無線部１２、モデム部１３、音声情報送受信部１４、音声認識エンジン部１５、音声認識変換単語情報蓄積部１６各々は、上記の図１に示す携帯端末１と同様の動作を行う。
【００３６】
表示操作部１７は、ダウンロードされた情報の表示や携帯端末１のユーザ操作を行う。ＲＯＭ１８は、装置を動作させるためのプログラム（ＣＰＵ１１が実行するプログラム）を格納し、ＲＡＭ１９は、ＣＰＵ１１のワークエリア（作業領域）として使用される。
【００３７】
図３は本発明の第１の実施の形態による検索サーバの構成例を示すブロック図である。図３において、検索サーバ２は、携帯端末１からのキーワードに対応する情報を検索する検索エンジン２１と、携帯端末１からの個人属性情報を蓄積する情報蓄積部２２とを備えている。
【００３８】
図４は本発明の第１の実施の形態による検索エンジンシステム全体の構成例を示すブロック図である。図４において、本発明の第１の実施の形態による検索エンジンシステムは、携帯端末（ユーザＡ）１−１と、携帯端末（ユーザＢ）１−２と、検索サーバ２と、提携企業サーバ３と、通信事業者網１００と、インタネット２００とから構成されている。携帯端末（ユーザＡ）１−１及び携帯端末（ユーザＢ）１−２は図２に示す携帯端末１と同様の構成となっており、検索サーバ２は図３に示す構成となっている。
【００３９】
携帯端末（ユーザＡ）１−１と携帯端末（ユーザＢ）１−２とは、通信事業者網１００を通じて音声会話や検索サーバ２に接続する手段を有する。提携企業サーバ３はインタネット１００を経由して、ユーザＡ、ユーザＢに商品（検索情報）を提供する。尚、説明の便宜上、図３では提携企業サーバ３を１つしか記載していないが、複数の提携企業サーバ３で構成することも可能である。
【００４０】
図５及び図６は本発明の第１の実施の形態による検索エンジンシステムの検索処理を示すシーケンスチャートであり、図７は本発明の第１の実施の形態による検索フロー→意思決定のプロセスを示す図であり、図８は本発明の第１の実施の形態で用いる使用者の個人属性の一例を示す図であり、図９は本発明の第１の実施の形態における検索結果の一例を示す図である。
【００４１】
図８において、本発明の第１の実施の形態で用いる使用者の個人属性としては、「年代」、「性別」、住んでいる「地域」、「興味（趣味）分野」等がある。
【００４２】
図９においては、本発明の第１の実施の形態における検索結果として、旅行関連の検索結果を示している。この検索結果は、「ケータイおすすめ情報」として、「■北海道・カニ」に対して「カニ料理  かに亭  ｈｔｔｐ：／ｗｗｗ．ｒｙｏｕｒｉ−ｋａｎｉ」、「秋の味覚  北海道スーパーキャンペーン  ｈｔｔｐ：／ｗｗｗ．ｍｉｋａｋｕ−ｋａｎｉ」が、「■夏休み・北海道」に対して「夏休み限定北海道ツアー  ｈｔｔｐ：／ｗｗｗ．ｇｅｎｔｅｉ−ｈｏｋｋａｉｄｏ」、「北海道  遊パック  ｈｔｔｐ：／ｗｗｗ．ｐａｃｋ−ｈｏｋｋａｉｄｏ」が表示されている。また、この表示には、「企業広告スペース」に広告を示すことも可能である。
【００４３】
以下、図２〜図９を参照して本発明の第１の実施の形態による検索エンジンシステムの検索処理について説明する。本実施の形態では、一例として、提携企業を旅行代理店関連とし、登録キーワードが「夏休み（日時表現）、北海道（地名）、カニ（ご当地名物の食べ物）、・・・」等と仮定している。
【００４４】
まず、提携企業サーバ３は、マッチング情報サービスを提供するための音声認識キーワードを検索サーバ２に登録する（図５のａ１）。検索サーバ２では、提携企業サーバ３からのマッチング情報サービスを提供するための音声認識キーワードをキーワード情報として情報蓄積部２２に蓄積する（図５のａ２）。
【００４５】
ユーザ（使用者）は、本サービス（検索エンジンシステムによるマッチングサービス）を使用するのに先立って、携帯端末１を通してユーザ個人属性（図８に示すような個人属性情報）を検索サーバ２に登録する（図５のａ３）。
【００４６】
検索サーバ２は、携帯端末１からのユーザ個人属性を情報蓄積部２２に登録し、上述したキーワード情報（提携企業サーバ３からのマッチング情報サービスを提供するための音声認識キーワード）を携帯端末１に送信する（図５のａ４）。携帯端末１は、個人属性を検索サーバ２に登録することで、検索サーバ２から音声認識変換キーワード情報をダウンロードし、音声認識変換単語情報蓄積部１６に登録する（図５のａ５）。
【００４７】
ユーザが携帯端末１を通して通話先との間で音声会話を実施し（図５のａ６）、「今度の夏休みに、北海道にカニを食べに行きたい」旨の会話が行われたものとする。携帯端末１では、会話中に音声認識エンジン部１５の音声認識結果を、音声認識変換単語情報蓄積部１６に登録された音声認識変換キーワード情報と照合する（図５のａ７）。
【００４８】
ここで、携帯端末１は、音声認識変換キーワード情報として、「夏休み」、「北海道」、「カニ」というキーワードが該当するため、一致したキーワード情報とユーザ個人属性情報とを検索サーバ２に送信する（図５のａ８）。尚、この場合、携帯端末１は、一致したキーワード情報のみを検索サーバ２に送信するようにしてもよい。
【００４９】
検索サーバ２は、携帯端末１からキーワード情報とユーザ個人属性情報とを入手すると、それらを情報蓄積部２２に登録して蓄積する（図５のａ９）。つまり、検索サーバ２には、どのような個人属性が何のキーワードを使ったかという情報が蓄積される。この時、提携企業サーバ３は、検索サーバ２を経由してキーワード情報のみを受信する（図５のａ１０）。
【００５０】
提携企業サーバ３は、上記のキーワード情報にマッチングする商品情報を送信する（図５のａ１１）。検索サーバ２は、そのマッチングした情報データを情報蓄積部２２に蓄積し（図５のａ１２）、携帯端末１は、検索サーバ２を経由して、そのマッチングした商品情報を受信する（図５のａ１３）。
【００５１】
これによって、携帯端末１では、受信した商品情報を閲覧することが可能となる。つまり、携帯端末１では、図９に示すように、「北海道」、「カニ」というキーワードに対する情報、「夏休み」、「北海道」というキーワードに対する情報、企業広告スペースが閲覧可能となる。
【００５２】
ユーザが携帯端末１に表示された受信情報の中から、自分が必要と思われる商品情報を選択すると、携帯端末１からその選択情報が送信される（図６のｂ１）。検索サーバ２は、ユーザが選択した商品情報を個人属性と関連したデータとして蓄積する（図６のｂ２）。提携企業サーバ３は、ユーザがどの商品を選択したかの情報（どの情報が選択されたかを判断できる情報）を入手する（図６のｂ３）。
【００５３】
上述した動作を繰り返し実施することで、検索サーバ２は、いつ、どの個人属性のユーザが、どのようなキーワード情報に一致する会話を実施し、どの商品を選択したか等の付加価値ある情報を情報蓄積部２２に蓄積することが可能となる。
【００５４】
この検索サーバ２に蓄積された情報を、提携企業サーバ３に提供することで（図６のｂ４）、提携企業は提携企業サーバ３に提供された情報にて、よりユーザニーズに適した商品開発を実施することが可能となる（図６のｂ５）。
【００５５】
提携企業サーバ３は、この新規に開発された新商品とキーワード情報との関連付けを実施して登録するとともに（図６のｂ６）、そのキーワード情報を送信する。
【００５６】
検索サーバ２は、提携企業サーバ３で関連付けされたキーワード情報を新キーワードとして情報蓄積部２２に登録する（図６のｂ７）。検索サーバ２は、携帯端末１に対してキーワード更新（提携企業サーバ３で関連付けされたキーワード情報によるキーワード更新）をアナウンスする（図６のｂ８）。
【００５７】
携帯端末１は、キーワード更新を受信すると、新キーワード情報を検索サーバ２からダウンロードし、音声認識変換単語情報蓄積部１６に登録する（図６のｂ９）。
【００５８】
上記のルーチンを繰り返し実施することで、ユーザ側は、よりニーズに適した情報を入手することが可能となり、提携企業側は、効率よく、ユーザ視点での商品を開発することが可能となる。
【００５９】
尚、本実施の形態では、ユーザがこのキーワード情報を閲覧することで、そのキーワード情報に対して選択（追加、削除）を行ってもよい。この場合は、ユーザが表示操作部１７を操作することで、音声認識変換単語情報蓄積部１６に格納されたキーワードを表示操作部１７に表示し、これを操作することで、このキーワード情報の閲覧、選別（追加、削除）を行うことができる。尚、ダウンロードした情報の操作に関しては、一般的に周知技術であるため、その詳細な説明は省略する。
【００６０】
上述したように、本発明に関連する通常の検索エンジンシステムでは、使用者が意識して検索キーワードをテキスト入力し（サーチエンジンに登録し）、入手した情報の中から使用者が必要なものを選択している。
【００６１】
これに対して、本実施の形態では、携帯端末１を使用して会話をすることで、この会話情報に対して音声認識を実施し、提携企業サーバ３に準備されたキーワード（単語）と一致した場合、このキーワード（単語）の情報をテキスト変換して検索サーバ２に送信することで、ユーザ（使用者）が特に意識することなく、キーワード（単語）に対応する情報を得ることが可能となる。
【００６２】
図７には本実施の形態による意思決定プロセスを示しているが、図１２に示す本発明に関連する意思決定プロセスと比較して、情報入手／意思決定に伴う手間や時間が短縮される。
【００６３】
また、本実施の形態では、携帯端末１の使用者が、個人属性（年齢・性別・地域・興味分野等）を予め登録した上で使用するため、検索サーバ２側には携帯端末１からの個人属性情報と関連付けられたキーワード情報の蓄積が可能である（提携する企業数、業種を増やすことで、より豊富な情報・統計を得ることが可能となる）
【００６４】
また、本実施の形態では、携帯端末１からの個人属性情報と関連付けられたキーワード情報を提携企業側に提供することで、提携企業側は、よりユーザニーズに適したサービスが開発可能となり、ユーザ（携帯端末１の使用者）側も有益な情報を入手することが可能となる。
【００６５】
すなわち、検索サーバ２においては、通常、どのキーワードが一番使われたかの情報が蓄積されているが、情報蓄積部２２においては、その情報と携帯端末１からの個人属性情報とを関連付け（紐付け）して蓄積することが可能である。
【００６６】
例えば、ある個人属性（年齢、性別、職業等）に対して特定のキーワードがよく使われている場合は、そのキーワードがそれらの個人属性の人達が興味を示している分野（言葉）となる。よって、そのキーワードと個人属性とを企業に提供することで、企業側は単なる検索単語情報だけでなく、より付加価値のある情報を得ることができる。
【００６７】
さらに、本実施の形態では、携帯電話での「会話」という領域に対しても、新たに広告ビジネスのチャンスが発生するという効果も得られる。
【００６８】
図１０は本発明の第２の実施の形態による携帯端末の動作を示すフローチャートである。本発明の第２の実施の形態による携帯端末は、図２に示す本発明の第１の実施の形態による携帯端末１と同様の構成となっている。
【００６９】
以下、図２と図１０とを参照して本発明の第２の実施の形態による携帯端末の動作について説明する。尚、図１０に示す処理は、ＣＰＵ１１がＲＯＭ１８に格納されたプログラムを実行することで実現される。また、本実施の形態では、音声認識変換単語検索サービスを使用するかどうかを、ユーザの意思で決定している。
【００７０】
携帯端末１は、表示操作部１７を通して本サービス（検索エンジンシステムによるマッチングサービス）を使用するかどうかを確認する（図１０ステップＳ１１）。携帯端末１は、本サービスを使用しない場合、音声認識単語変換を行わないため、通常の音声会話を実施する（図１０ステップＳ１２）。
【００７１】
携帯端末１は、本サービスを使用する場合、音声認識単語変換キーワードを送信する前に内容を確認するかどうかを判断する（図１０ステップＳ１３）。携帯端末１は、キーワードの確認を行わない場合、登録されたキーワードを基に音声認識変換したキーワードを検索サーバ２に送信する（図１０ステップＳ１５）。
【００７２】
携帯端末１は、ユーザがキーワードを送信する前に何らかの確認を行いたい場合、表示操作部１７にキーワード情報を表示し、キーワードの選別を行うかどうかを判断する（図１０ステップＳ１４）。携帯端末１は、キーワードの選別を行わない場合、登録されたキーワードを基に音声認識変換したキーワードを検索サーバ２に送信する（図１０ステップＳ１５）。
【００７３】
携帯端末１は、キーワードの選別を実施する場合、表示操作部１７にてキーワードが変更された後に、変更後のキーワードを検索サーバ２に送信する（図１０ステップＳ１６）。
【００７４】
これによって、本実施の形態では、上述した本発明の第１の実施の形態による効果の他に、音声認識変換単語検索サービスを使用するかどうかを、ユーザ（携帯端末１の使用者）の意思で決定することができるという効果が得られる。
【００７５】
図１１は本発明の第３の実施の形態による検索処理における料金構成の一例を示す図である。本実施の形態では、料金構成に関する内容であり、本発明に関連する検索エンジンシステムの料金構成例を図１３に示す。
【００７６】
本発明に関連する検索エンジンシステムにおいては、ユーザ（携帯端末１の使用者）が、パケット使用量に応じた通信料、またはパケット定額契約を結ぶことで、その料金を通信事業者へと支払い、これが通信事業者の収入となる。情報を提供する企業側は、ユーザが情報を閲覧した時に、その広告料（情報アクセス回数×設定料金）として検索サーバ／サイト側に料金を支払い、これが検索サーバ側の収入となる。これらのパラメータは独立事象であり、ユーザ視点で考えた場合、情報アクセスする頻度と料金とは無関係である。また、「会話」を実施するだけでは、この料金の考え方も成立しない。
【００７７】
本実施の形態においては、図１１に示すように、ユーザがパケット定額契約料金の一部を、当該情報を閲覧した時に、企業側が一部負担するものとする。企業側は、支払う広告料金としては、上記の図１３に示す場合と変化しないが、検索サーバ側は、ユーザ料金が事業者に支払われる分だけ少なくなる。ユーザ側は、企業が負担してくれる分のみ支払い金額が少なくなり、メリットを生じる。通信事業者側は、ユーザ側の支払い料金が減った分を情報提供元の企業が補填するため、実質の収入としては変化がない。
【００７８】
本実施の形態では、ユーザ側にとって使用料金が安くなるというメリットが生じるため、契約加入者数が増加につながり、事業者側の収入は増大する。一方、検索サーバ側は、ユーザ料金分の収入が少なくなるが、加入者増によりアクセス頻度が増加すれば、その分を補うことが可能であり、利用者の増加に伴い、上記の本発明の第１の実施の形態で示したように、検索サーバ側により多くの情報が蓄積されるというメリットが生じる。
【００７９】
本実施の形態では、利用者が増加することで、情報閲覧の機会が増大し、商品購入の可能性が増大する。本実施の形態においては、従来存在しなかった「会話」での広告ビジネスチャンスが生じることが可能である。
【産業上の利用可能性】
【００８０】
本発明は、音声認識エンジンを搭載した携帯電話装置に適用可能である。
【符号の説明】
【００８１】
１  携帯端末
１−１  携帯端末（ユーザＡ）
１−２  携帯端末（ユーザＢ）
２  検索サーバ
３  提携企業サーバ
１１  ＣＰＵ
１２  アンテナ・無線部
１３  モデム部
１４  音声情報送受信部
１５  音声認識エンジン部
１６  音声認識変換単語情報蓄積部
１７  表示操作部
１８  ＲＯＭ
１９  ＲＡＭ
２１  検索エンジン
２２  情報蓄積部
１００  通信事業者網
２００  インタネット
【図１】
2010277207.tif 000003
【図２】
2010277207.tif 000004
【図３】
2010277207.tif 000005
【図４】
2010277207.tif 000006
【図５】
2010277207.tif 000007
【図６】
2010277207.tif 000008
【図７】
2010277207.tif 000009
【図８】
2010277207.tif 000010
【図９】
2010277207.tif 000011
【図１０】
2010277207.tif 000012
【図１１】
2010277207.tif 000013
【図１２】
2010277207.tif 000014
【図１３】
2010277207.tif 000015